(57)【要約】      （修正有）【課題】容量を並列に組み合わせやすく、エネルギー貯蔵電源装置の拡張可能性を実現し、実際の市場需要を満たす容量拡大可能なエネルギー貯蔵電源装置を提供する。【解決手段】容量拡大可能なエネルギー貯蔵電源装置は、本体１及び本体１内に設置された主電源パックを含み、本体１に取り外し可能に接続された外付け容量拡大モジュールをさらに含み、外付け容量拡大モジュールは、拡張電源パック６を含み、拡張電源パック６は、主電源パックに電気的に接続される。エネルギー貯蔵電源装置の本体１に取り外し可能な外付け容量拡大モジュールを接続する設計により、ユーザは、出力電力に対する需要に応じて元のエネルギー貯蔵電源装置の電池容量を調整し、エネルギー貯蔵電源装置の拡張可能性を実現し、実際の市場需要を満たすことができ、元のエネルギー貯蔵電源装置の内部構造を変更する必要がなく、簡単で便利である。【選択図】図６
0003232970.tif 000002
【実用新案登録請求の範囲】
【請求項１】
本体（１）及び前記本体（１）内に設置された主電源パック（５）を含む容量拡大可能なエネルギー貯蔵電源装置であって、前記本体（１）に取り外し可能に接続された外付け容量拡大モジュール（２）をさらに含み、前記外付け容量拡大モジュール（２）は、拡張電源パック（６）を含み、前記拡張電源パック（６）は、前記主電源パック（５）に電気的に接続されることを特徴とする、容量拡大可能なエネルギー貯蔵電源装置。
【請求項２】
前記主電源パック（５）に第１の金属端子（３）付きの第１の外付けメインボード（４）が接続され、前記本体（１）に前記第１の金属端子（３）に対応する挿入孔（１１）が設置されることを特徴とする、請求項１に記載のエネルギー貯蔵電源装置。
【請求項３】
前記外付け容量拡大モジュール（２）は、前記拡張電源パック（６）を収容するケースをさらに含み、前記拡張電源パック（６）に前記第１の金属端子（３）と突き合わせる第２の金属端子（８）が設置され、前記ケースに前記第２の金属端子（８）が貫通する逃げ孔（２１２）が設置されることを特徴とする、請求項２に記載のエネルギー貯蔵電源装置。
【請求項４】
前記ケースは、上部ケース（２１）及び底部ケース（２２）を含み、前記上部ケース（２１）は、前記底部ケース（２２）にキャッピングされて、前記拡張電源パック（６）を収容する空間を形成し、前記逃げ孔（２１２）は、前記上部ケース（２１）に設置されることを特徴とする、請求項３に記載のエネルギー貯蔵電源装置。
【請求項５】
前記拡張電源パック（６）に第２の外付けメインボード（７）が接続され、前記第２の金属端子（８）は、前記第２の外付けメインボード（７）に上向きに設置されることを特徴とする、請求項３又は４に記載のエネルギー貯蔵電源装置。
【請求項６】
前記外付け容量拡大モジュール（２）の前記本体（１）に近い端面には、第１の接続構造（２１１）が設置され、前記本体（１）の底部には、前記第１の接続構造（２１１）と係合接続された第２の接続構造（１０）が設置されることを特徴とする、請求項１に記載のエネルギー貯蔵電源装置。
【請求項７】
前記第１の接続構造（２１１）は、前記外付け容量拡大モジュール（２）の上端面に沿って側面に向かって突起する接続タブ（２１１１）と、前記接続タブ（２１１１）に設置された第１のネジ孔（２１１２）と、を含み、前記第２の接続構造（１０）は、前記第１のネジ孔（２１１２）に対応する第２のネジ孔であることを特徴とする、請求項６に記載のエネルギー貯蔵電源装置。
【請求項８】
前記第１の接続構造（２１１）は、前記外付け容量拡大モジュール（２）に設置されたバックルを含み、前記第２の接続構造（１０）は、前記バックルに係合接続するための留め付け位置を含むことを特徴とする、請求項６に記載のエネルギー貯蔵電源装置。
【請求項９】
前記第１の金属端子（３）は、２つのメタルドームを含み、前記第２の金属端子（８）は、２つの突起型端子を含み、前記本体（１）が外付け容量拡大モジュール（２）に接続される場合、２つの前記突起型端子は、それぞれ２つの前記メタルドームを変形させるように押さえることができることを特徴とする、請求項３に記載のエネルギー貯蔵電源装置。
【請求項１０】
各前記メタルドームの両端は、対向して曲げられて２つの接触点（３１）を形成することを特徴とする、請求項９に記載のエネルギー貯蔵電源装置。
【考案の詳細な説明】
【技術分野】
【０００１】
本考案は、エネルギー貯蔵電源の技術分野に関し、特に容量拡大可能なエネルギー貯蔵電源装置に関する。
【背景技術】
【０００２】
携帯端末装置の機能が益々強くなり、ユーザが携帯端末装置を使用してビデオを見たり、ゲームをプレイしたり、チャットしたりすることができるが、携帯端末の電力消費が速くなり、ユーザ体験に影響を与えることを回避するために、エネルギー貯蔵電源をタイムリーに使用して携帯端末装置に充電する必要がある。
【０００３】
異なる容量の携帯型エネルギー貯蔵電源が市販され、異なる容量の携帯型エネルギー貯蔵電源の体積及び重量の差が大きく、かつエネルギー貯蔵電源の容量が一定であり、エネルギー貯蔵電源の出力電力に対する携帯端末の需要が増大する場合、より大きなエネルギー貯蔵電源を交換することしかできない。
【０００４】
すなわち、現在の携帯型エネルギー貯蔵電源にある欠陥は、ユーザの異なる容量のエネルギー貯蔵電源に対する使用需要をよく満たすことができないことである。
【考案の概要】
【考案が解決しようとする課題】
【０００５】
従来技術の不足を克服するために、本考案は、容量を並列に組み合わせやすく、エネルギー貯蔵電源装置の拡張可能性を実現し、実際の市場需要を満たす容量拡大可能なエネルギー貯蔵電源装置を提供する。
【課題を解決するための手段】
【０００６】
本考案は、その技術的課題を解決するために、以下の技術手段を採用する。容量拡大可能なエネルギー貯蔵電源装置は、本体及び前記本体内に設置された主電源パックを含み、前記本体に取り外し可能に接続された外付け容量拡大モジュールをさらに含み、前記外付け容量拡大モジュールは、拡張電源パックを含み、前記拡張電源パックは、前記主電源パックに電気的に接続される。
【０００７】
好ましくは、前記主電源パックに第１の金属端子付きの第１の外付けメインボードが接続され、前記本体に前記第１の金属端子に対応する挿入孔が設置される。
【０００８】
好ましくは、前記外付け容量拡大モジュールは、前記拡張電源パックを収容するケースをさらに含み、前記拡張電源パックに前記第１の金属端子と突き合わせる第２の金属端子が設置され、前記ケースに前記第２の金属端子が貫通する逃げ孔が設置される。
【０００９】
好ましくは、前記ケースは、上部ケース及び底部ケースを含み、前記上部ケースは、前記底部ケースにキャッピングされて、前記拡張電源パックを収容する空間を形成し、前記逃げ孔は、前記上部ケースに設置される。
【００１０】
好ましくは、前記拡張電源パックに第２の外付けメインボードが接続され、前記第２の金属端子は、前記第２の外付けメインボードに上向きに設置される。
【００１１】
好ましくは、前記外付け容量拡大モジュールの前記本体に近い端面には、第１の接続構造が設置され、前記本体の底部には、前記第１の接続構造と係合接続された第２の接続構造が設置される。
【００１２】
好ましくは、前記第１の接続構造は、前記外付け容量拡大モジュールの上端面に沿って側面に向かって突起する接続タブと、前記接続タブに設置された第１のネジ孔と、を含み、前記第２の接続構造は、前記第１のネジ孔に対応する第２のネジ孔である。
【００１３】
好ましくは、前記第１の接続構造は、前記外付け容量拡大モジュールの上端面に設置されたバックルを含み、前記第２の接続構造は、前記バックルに係合接続するための留め付け位置を含む。
【００１４】
好ましくは、前記第１の金属端子は、２つのメタルドームを含み、前記第２の金属端子は、２つの突起型端子を含み、前記本体が外付け容量拡大モジュールに接続される場合、２つの前記突起型端子は、それぞれ２つの前記メタルドームを変形させるように押さえることができる。
【００１５】
好ましくは、各前記メタルドームの両端は、対向して曲げられて２つの接触点を形成する。
【考案の効果】
【００１６】
本考案の有益な効果は、以下のとおりである。本考案のエネルギー貯蔵電源装置は、本体及び前記本体内に設置された主電源パックを含み、前記本体に取り外し可能に接続された外付け容量拡大モジュールをさらに含み、前記外付け容量拡大モジュールは、拡張電源パックを含み、前記拡張電源パックは、前記主電源パックに電気的に接続される。
【００１７】
エネルギー貯蔵電源装置の本体に取り外し可能な外付け容量拡大モジュールを接続する設計により、ユーザは、出力電力に対する需要に応じて元のエネルギー貯蔵電源装置の電池容量を調整し、エネルギー貯蔵電源装置の拡張可能性を実現し、実際の市場需要を満たすことができ、そして、元のエネルギー貯蔵電源装置の内部構造を変更する必要がなく、簡単で便利である。
【図面の簡単な説明】
【００１８】
以下、図面及び実施例を参照しながら、本考案を好ましく説明する。
【図１】本考案のエネルギー貯蔵電源装置の本体と外付け容量拡大モジュールとの分離を示す概略図である。
【図２】本考案のエネルギー貯蔵電源装置の本体の内部を示す概略図である。
【図３】本考案のエネルギー貯蔵電源装置の第１の金属端子を示す概略図である。
【図４】本考案のエネルギー貯蔵電源装置の外付け容量拡大モジュールを示す全体概略図である。
【図５】本考案のエネルギー貯蔵電源装置の外付け容量拡大モジュールを示す分解概略図である。
【図６】本考案のエネルギー貯蔵電源装置の本体が外付け容量拡大モジュールに接続される場合の局部断面概略図である。
【考案を実施するための形態】
【００１９】
なお、本考案において、逆に説明しない場合、使用される方位用語、例えば「上、下、頂、底、前、後」は、通常、図面に示す方向に関するものであり、又は部材自体にとって鉛直、垂直又は重力方向に関するものであり、同様に、理解及び説明の便宜上、「内、外」は、各部材自体の輪郭に対する内、外を指すが、上記方位用語は、本考案を制限するものではない。
【００２０】
図１〜図６は、本考案の容量拡大可能なエネルギー貯蔵電源装置の実施例の概略構成図である。
【００２１】
本実施例における容量拡大可能なエネルギー貯蔵電源装置は、本体１及び本体１内に設置された主電源パック５を含み、本体１の頂部に取っ手が設置されることにより、ユーザが把持の方式で携帯し搬送しやすく、その使用の利便性を向上させる。本体１内の主電源パック５は、一定の電源容量を有し、例えば、該一定の電源容量は、８００Ｗであってよい。
【００２２】
本エネルギー貯蔵電源装置の容量拡大の可能性を実現するために、本体１に外付け容量拡大モジュール２が取り外し可能に接続され、外付け容量拡大モジュール２は、拡張電源パック６を含み、拡張電源パック６は、主電源パック５に電気的に接続され、拡張電源パック６の容量は、実際の必要に応じて選択されてよい。
【００２３】
本実施例では、本体１と外付け容量拡大モジュール２とは取り外し可能な形態であり、外付け容量拡大モジュール２における拡張電源パック６は、本体１における主電源パック５に電気的に接続されて容量の並列接続を実現することにより、元のエネルギー貯蔵電源装置の電池容量を増大させる。
【００２４】
エネルギー貯蔵電源装置の本体１に取り外し可能な外付け容量拡大モジュール２を接続する設計により、ユーザは、出力電力に対する需要に応じて元のエネルギー貯蔵電源装置の電池容量を調整し、エネルギー貯蔵電源装置の拡張可能性を実現し、実際の市場需要を満たすことができ、そして、元のエネルギー貯蔵電源装置の内部構造を変更する必要がなく、簡単で便利である。
【００２５】
なお、外付け容量拡大モジュール２の数又は容量の大きさは、ユーザが必要に応じて自由に選択できる。具体的には、外付け容量拡大モジュール２の本体１に近い端面には、第１の接続構造２１１が設置され、本体１の底部には、第１の接続構造２１１と係合接続された第２の接続構造１０が設置される。
【００２６】
第１の接続構造２１１と第２の接続構造１０との係合接続により、外付け容量拡大モジュール２と本体１との取り外し可能な接続を実現する。本考案では、第１の接続構造２１１と第２の接続構造１０との係合接続は、バックルと留め付け位置との留め付け接続形式であってもよく、ネジとネジ山との係合接続方式であってもよい。
【００２７】
１つの具体的な実施例では、第１の接続構造２１１は、外付け容量拡大モジュール２の上端面に沿って側面に向かって突起する接続タブ２１１１と、上記接続タブ２１１１に設置された第１のネジ孔２１１２と、を含み、第２の接続構造１０は、第１のネジ孔２１１２に対応する第２のネジ孔である。
【００２８】
本実施例では、接続タブ２１１１は４つあり、各接続タブ２１１１に、いずれも上記第１のネジ孔２１１２が設置され、第２のネジ孔も４つあり、接続タブ２１１１上の第１のネジ孔２１１２と第２のネジ孔を一対一対応させた後、４本のネジ又はスタッド（図示せず）により本体１と外付け容量拡大モジュール２を一体に固定することができ、接続が安定で確実でかつ着脱しやすい。
【００２９】
具体的には、主電源パック５に第１の金属端子３付きの第１の外付けメインボード４が接続され、第１の金属端子３は２つあり、すなわち主電源パック５の正極及び負極は、配線により第１の外付けメインボード４に接続され、さらに第１の外付けメインボード４上の２つの第１の金属端子３にそれぞれ接続される。本体１に第１の金属端子３に対応する挿入孔１１が設置される。
【００３０】
本実施例では、第１の外付けメインボード４及び２つの第１の金属端子３は、いずれも本体１の内部に位置し、該挿入孔１１により、主電源パック５と外部の拡張電源パック６との電気的接続を実現する。
【００３１】
好ましくは、本体１の外側に該挿入孔１１を遮蔽できるカバープレート（図示せず）が設置される。本実施例では、２つの第１の金属端子３は、挿入孔１１から延出せず、カバープレートにより本体１の挿入孔１１を遮蔽することができる。
【００３２】
外付け容量拡大モジュール２に接続する必要がある場合、該挿入孔１１を開けて２つの第１の金属端子３を露出させればよく、外付け容量拡大モジュール２に接続する必要がない場合、該カバープレートをカバーすれば、カバープレートが本体１内の主電源パック５及び内部回路を保護する役割を果たし、かつ美観を向上させる。
【００３３】
本実施例では、外付け容量拡大モジュール２は、さらに拡張電源パック６を収容するケースをさらに含み、拡張電源パック６には、第１の金属端子３と突き合わせる第２の金属端子８が設置され、上記第１の金属端子３は２つあり、第２の金属端子８も２つあり、ケースには、２つの上記第２の金属端子８が貫通する逃げ孔２１２が設置される。
【００３４】
すなわち、第２の金属端子８は、逃げ孔２１２を通過し、かつ一部がケースの外端面に露出する。容量を拡大する必要がある場合、本体１内の２つの第１の金属端子３を外付け容量拡大モジュール２の２つの第２の金属端子８に突き合わせばよい。
【００３５】
具体的には、拡張電源パック６にさらに第２の外付けメインボード７が接続され、第２の金属端子８は、第２の外付けメインボード７に上向きに設置される。拡張電源パック６の正極及び負極は、拡張電源パック６の両側から第２の外付けメインボード７まで延在し、第２の外付けメインボード７の中央部には、配線により拡張電源パック６の正極及び負極をそれぞれ２つの第２の金属端子８に接続する。
【００３６】
第１の金属端子３と第２の金属端子８との接触の信頼性を実現するために、本実施例では、２つの第１の金属端子３は、いずれもメタルドームとして設置され、２つの第２の金属端子８は、いずれも突起型端子であり、上記突起型端子は、メタルドームを変形させるように押さえることにより、主電源パック５の正負極と拡張電源パック６の正負極との確実な接続を保証することができる。
【００３７】
具体的には、各メタルドームは、２ミリメートルの圧縮ストロークを有するように設置され、かつ各メタルドームの両端は、対向して曲げられて２つの接触点３１を形成し、すなわち、各突起型端子は、各メタルドームの２つの接触点３１に当接可能に接続され、さらに主電源パック５と拡張電源パック６との確実な接続を保証する。
【００３８】
具体的には、ケースは、上部ケース２１及び底部ケース２２を含み、上部ケース２１は、底部ケース２２にキャッピングされて、拡張電源パック６を収容する空間を形成し、すなわち、上記逃げ孔２１２は、上部ケース２１に設置され、第２の金属端子８は、第２の外付けメインボード７から上部ケース２１の逃げ孔２１２を上向きに貫通する。
【００３９】
底部ケース２２は、該拡張電源パック６を載置して固定する。本実施例では、拡張電源パック６は、複数の蓄電池で構成された電池パックであり、底部ケース２２のサイズは、拡張電源パック６のサイズと適合する。
【００４０】
以上の記載は、具体的な内容を組み合わせて提供される１つ以上の実施形態であり、本考案の具体的な実施形態は、これらの説明に限定されるものであると認められない。本考案の方法、構成などと近似し、同等であるか、又は本考案の構想で行われたいくつかの技術推定又は置換は、いずれも本考案の保護範囲に属するものと見なされるべきである。
【符号の説明】
【００４１】
１  本体
１０  第２の接続構造
１１  挿入孔
２  外付け容量拡大モジュール
２１  上部ケース
２２  底部ケース
２１１  第１の接続構造
２１２  逃げ孔
２１１１  接続タブ
２１１２  第１のネジ孔
３  第１の金属端子
３１  接触点
４  第１の外付けメインボード
５  主電源パック
６  拡張電源パック
７  第２の外付けメインボード
８  第２の金属端子
【図１】
0003232970.tif 000003
【図２】
0003232970.tif 000004
【図３】
0003232970.tif 000005
【図４】
0003232970.tif 000006
【図５】
0003232970.tif 000007
【図６】
0003232970.tif 000008